(57)【要約】【課題】部品点数を削減し、かつ製造コストも低く抑えることが可能な遊技機を提供する。【解決手段】所定の一方向に回転する駆動用モータ７９と、半径方向外側に向けて前記半径方向に延びるように形成された第１長孔部１０４及び第２長孔部１０５と、を有し、第１伝達部材９１が予め定められた所定位置まで回転することに伴って第２回転軸を中心に予め定められた第１の方向へ円弧運動を行い、第１伝達部材９１が更に所定位置から回転した時は第２回転軸を中心に第１の方向とは逆の第２の方向へ円弧運動を行うように形成された従動部材３９とを備え、駆動用モータ７９が一方向に回転すると、移動体３７が第１位置と第２位置との間で移動するように構成した。【選択図】図６
2014176561.tif 000002
【特許請求の範囲】
【請求項１】
遊技中に所定の図柄を変動表示可能な図柄表示手段と、所定の装飾を有する装飾体と、前記装飾体が取り付けられると共に前記図柄表示手段の前方に設けられており、前記図柄表示手段に形成されている表示領域を覆わないように前記装飾体を位置させる第１位置と、前記表示領域の少なくとも一部を覆うように前記装飾体を位置させる第２位置との間で前記装飾体を移動させるための移動体を有する演出用役物と、を備えた遊技機であって、
前記移動体を前記第１位置と第２位置との間において移動させるための駆動力を付与し、予め定められた所定の一方向に回転する駆動モータ及び前記駆動モータの駆動力を伝達する伝達部材を有し、前記伝達部材には、該伝達部材の第１の回転軸よりも半径方向外側に、前記駆動モータから付与される駆動力を伝達するための第１伝達部が形成されている駆動手段と、
第２の回転軸と、前記第２の回転軸よりも半径方向外側に向けて前記半径方向に延び、前記伝達部がその内部においてスライド移動するように設けられた第１長孔部と、前記第２の回転軸よりも半径方向外側であって、前記第１長孔部とは異なる位置において前記半径方向に延びるように形成された第２長孔部と、を有し、前記駆動手段によって前記伝達部材が予め定められた所定位置まで回転することに伴って前記第２回転軸を中心に予め定められた第１の方向へ円弧運動を行い、前記伝達部材が更に前記所定位置から回転した時は前記第２回転軸を中心に前記第１の方向とは逆の方向である第２の方向へ円弧運動を行うように形成された従動部材と、
前記移動体を移動可能に支持する基板とを備え、
前記演出用役物又は前記基板のいずれか一方には、第３の回転軸が形成されており、
前記移動体には、前記第２長孔部の内部に配置され、前記従動部材が円弧運動をした時に、前記従動部材から付与される駆動力が伝達される第２伝達部が設けられ、前記駆動手段が前記一方向に回転すると、前記第１位置と前記第２位置との間で移動するように構成されていることを特徴とする遊技機。
【請求項２】
基板には、第３の回転軸と、第２伝達部の移動をガイドするためのガイド部が設けられており、
移動体には、前記第３の回転軸と分離可能に形成された回転受け部が形成されており、
前記ガイド部は、円弧状に形成された円弧状部と、前記円弧状部と連続するように形成された直線部と、を有し、
前記移動体は、第３の回転軸を中心に前記第２伝達部が前記円弧状部にガイドされて移動する時は、前記回転受け部が第３の回転軸と嵌合し、前記第３の回転軸を中心に回転運動を行い、前記直線部にガイドされて移動する時は、前記回転受け部が前記第３の回転軸から分離する、請求項１記載の遊技機。
【請求項３】
基板には、移動体が直線部にガイドされて移動するに伴って回転受け部が直線運動をする際に前記回転受け部を案内するための直線ガイド部が形成されている、請求項２記載の遊技機。
【請求項４】
基板は、第１基板と、前記第１基板と並んで配置される第２基板と、から構成されており、
直線ガイド部は、前記第１基板に形成された第１直線ガイド部と、前記第２基板に形成された第２直線ガイド部とを有し、
回転受け部は、前記第１直線ガイド部により案内される第１回転受け部と、前記第２直線ガイド部により案内される第２回転受け部とを有する、請求項３記載の遊技機。
【発明の詳細な説明】
【技術分野】
【０００１】
本発明は、所定の図柄を表示可能な図柄表示手段及び演出用役物を備えた遊技機に関する。
【背景技術】
【０００２】
従来、パチンコ機をはじめとする遊技機では、遊技板に形成された遊技領域にセンター役物をはじめとする各種演出用役物が設けられている。演出用役物には、図柄表示装置として液晶表示装置を用いることが多く、この液晶表示装置に数字等から構成される種々の図柄やアニメーション等を表示して、遊技の状態に応じて遊技者の興趣を向上させるための演出が行われている。また、近年は、遊技の進行に応じて所定の条件が成立した場合に、液晶表示装置の前に、該液晶表示装置の一部を覆うような形で移動体が進出するものも存在する。例えば、特許文献１に記載されている遊技機は、扇状の複数の羽根片からなり、液晶表示装置の一部を覆うように進出したり、液晶表示装置の前から退避するように構成された扇状役物を有している。この扇状役物は、駆動手段としての駆動モータの駆動により移動するように構成されており、液晶表示装置の前に進出する場合には、所定の回転方向に駆動させ、液晶表示装置の前から退避する場合には、所定の回転方向とは逆方向に駆動させて、扇状役物を構成する扇片を移動させている。
【先行技術文献】
【特許文献】
【０００３】
【特許文献１】特開２００８−０４３６５８号公報
【発明の概要】
【発明が解決しようとする課題】
【０００４】
しかしながら、特許文献１に記載されている遊技機の扇状役物は、扇状役物を進出させたり、又は退避させる際、駆動モータの回転方向を逆転させなければならず、単に駆動させるためのものだけではなく、回転方向を逆転させるための構成部品も必要になる。そのため、特許文献１に記載されている遊技機は、部品点数が増大してしまい、役物自体の構成も複雑化してしまうという問題や、部品点数の増大に伴って製造コストが増大してしまうという問題があった。
【０００５】
本発明は、上記した問題点を解決するためになされたもので、部品点数を削減し、かつ製造コストも低く抑えることが可能な遊技機を提供することを目的とする。
【課題を解決するための手段】
【０００６】
本発明は、
（１）遊技中に所定の図柄を変動表示可能な図柄表示手段と、所定の装飾を有する装飾体と、前記装飾体が取り付けられると共に前記図柄表示手段の前方に設けられており、前記図柄表示手段に形成されている表示領域を覆わないように前記装飾体を位置させる第１位置と、前記表示領域の少なくとも一部を覆うように前記装飾体を位置させる第２位置との間で前記装飾体を移動させるための移動体を有する演出用役物と、を備えた遊技機であって、前記移動体を前記第１位置と第２位置との間において移動させるための駆動力を付与し、予め定められた所定の一方向に回転する駆動モータ及び前記駆動モータの駆動力を伝達する伝達部材を有し、前記伝達部材には、該伝達部材の第１の回転軸よりも半径方向外側に、前記駆動モータから付与される駆動力を伝達するための第１伝達部が形成されている駆動手段と、第２の回転軸と、前記第２の回転軸よりも半径方向外側に向けて前記半径方向に延び、前記伝達部がその内部においてスライド移動するように設けられた第１長孔部と、前記第２の回転軸よりも半径方向外側であって、前記第１長孔部とは異なる位置において前記半径方向に延びるように形成された第２長孔部と、を有し、前記駆動手段によって前記伝達部材が予め定められた所定位置まで回転することに伴って前記第２回転軸を中心に予め定められた第１の方向へ円弧運動を行い、前記伝達部材が更に前記所定位置から回転した時は前記第２回転軸を中心に前記第１の方向とは逆の方向である第２の方向へ円弧運動を行うように形成された従動部材と、前記移動体を移動可能に支持する基板とを備え、前記演出用役物又は前記基板のいずれか一方には、第３の回転軸が形成されており、前記移動体には、前記第２長孔部の内部に配置され、前記従動部材が円弧運動をした時に、前記従動部材から付与される駆動力が伝達される第２伝達部が設けられ、前記駆動手段が前記一方向に回転すると、前記第１位置と前記第２位置との間で移動するように構成されていることを特徴とする遊技機、
（２）基板には、第３の回転軸と、第２伝達部の移動をガイドするためのガイド部が設けられており、移動体には、前記第３の回転軸と分離可能に形成された回転受け部が形成されており、前記ガイド部は、円弧状に形成された円弧状部と、前記円弧状部と連続するように形成された直線部と、を有し、前記移動体は、第３の回転軸を中心に前記第２伝達部が前記円弧状部にガイドされて移動する時は、前記回転受け部が第３の回転軸と嵌合し、前記第３の回転軸を中心に回転運動を行い、前記直線部にガイドされて移動する時は、前記回転受け部が前記第３の回転軸から分離する、上記（１）記載の遊技機、
（３）基板には、移動体が直線部にガイドされて移動するに伴って回転受け部が直線運動をする際に前記回転受け部を案内するための直線ガイド部が形成されている、上記（２）記載の遊技機、
（４）基板は、第１基板と、前記第１基板と並んで配置される第２基板と、から構成されており、直線ガイド部は、前記第１基板に形成された第１直線ガイド部と、前記第２基板に形成された第２直線ガイド部とを有し、回転受け部は、前記第１直線ガイド部により案内される第１回転受け部と、前記第２直線ガイド部により案内される第２回転受け部とを有する、上記（３）記載の遊技機、
を要旨とする。
【発明の効果】
【０００７】
本発明によれば、前記移動体を前記第１位置と第２位置との間において移動させるための駆動力を付与し、予め定められた所定の一方向に回転する駆動モータ及び前記駆動モータの駆動力を伝達する伝達部材を有し、前記伝達部材には、該伝達部材の第１の回転軸よりも半径方向外側に、前記駆動モータから付与される駆動力を伝達するための第１伝達部が形成されている駆動手段と、第２の回転軸と、前記第２の回転軸よりも半径方向外側に向けて前記半径方向に延び、前記伝達部の幅よりも大きな幅に形成されて前記伝達部がその内部においてスライド移動するように設けられた第１長孔部と、前記第２の回転軸よりも半径方向外側であって、前記第１長孔部とは異なる位置において前記半径方向に延びるように設けられた第２長孔部と、を有し、前記駆動手段によって前記伝達部材が予め定められた所定位置まで回転することに伴って前記第２回転軸を中心に予め定められた第１の方向へ円弧運動を行い、前記伝達部材が更に前記所定位置から回転した時は前記第２回転軸を中心に前記第１の方向とは逆の方向である第２の方向へ円弧運動を行うように形成された従動部材と、前記移動体を移動可能に支持する基板とを備え、前記演出用役物又は前記基板のいずれか一方には、第３の回転軸が形成されており、前記移動体には、前記第２長孔部の内部に配置され、前記従動部材が円弧運動をした時に、前記従動部材から付与される駆動力が伝達される第２伝達部が設けられ、前記駆動手段が前記一方向に回転すると、前記第１位置と前記第２位置との間で移動するように構成したので、駆動モータを一方向に回転させることのみによって、移動体を第１位置と第２位置との間で移動させることができる。したがって、移動体を有する演出役物の構成を簡略化することができ、該演出役物を構成する部品点数を削減することが可能になる。また、本発明によれば、部品点数を削減することにより、製造コストも大幅に低減することが可能になる。
【図面の簡単な説明】
【０００８】
【図１】本発明の実施の形態に係る遊技機の正面図である。
【図２】遊技機を構成する裏ユニットの正面図である。
【図３】演出用役物の外観構成を表面側から表した斜視図である。
【図４】演出用役物の外観構成を背面側から表した斜視図である。
【図５】装飾体の構成を表した分解斜視図である。
【図６】移動体及び駆動機構の構成を表面側から表した分解斜視図である。
【図７】移動体及び駆動機構の構成を背面側から表した分解斜視図である。
【図８】装飾体が直立位置にある時の駆動機構及び移動体等の関係を説明するための説明図である。
【図９】装飾体が直立位置から傾斜位置へ移動している時の駆動機構及び移動体等の関係を説明するための説明図である。
【図１０】装飾体が傾斜位置にある時の駆動機構及び移動体等の関係を説明するための説明図である。
【図１１】装飾体が傾斜位置にある時の該装飾体と液晶表示装置等との位置関係を表す図である。
【図１２】装飾体が引き込み位置にある時の駆動機構及び移動体等の関係を説明するための説明図である。
【図１３】装飾体が引き込み位置にある時の該装飾体と液晶表示装置等との位置関係を表す図である。
【図１４】装飾体が引き込み位置から傾斜位置へ移動し、該傾斜位置にある時の駆動機構及び移動体等の関係を説明するための説明図である。
【図１５】装飾体が傾斜位置から直立位置へ移動している時の駆動機構及び移動体等の関係を説明するための説明図である。
【図１６】装飾体が傾斜位置から直立位置へ移動し、該直立位置にある時の駆動機構及び移動体等の関係を説明するための説明図である。
【発明を実施するための形態】
【０００９】
本発明に係る遊技機の実施の形態について、図面を用いて具体的に説明する。なお、本明細書では、本発明に係る遊技機の例としてパチンコ遊技機を用いて説明するが、本発明はパチンコ遊技機以外の遊技機にも適用することが可能である。また、本明細書においては、パチンコ遊技機（以下、単に「遊技機」と言う。）及び遊技機を構成する各部材の「前側」、「後側」は、遊技機を正面から見た場合における表面側（前面側）、背面側（後面側）を示すものとし、遊技機及び遊技機を構成する各部材に関して「上側」、「下側」、「左側」及び「右側」は、図１に示すように、遊技機を正面から見た場合における上側、下側、左側及び右側を示すものとする。また、本明細書においては、遊技球が各種入賞口に流入することを「入賞」と言い、遊技球が入賞することによって遊技者に払い出される遊技球のことを「賞球」と言う。
【００１０】
［遊技機１の外観構成］
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて成形されており、内部に遊技盤１２等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１２を視認することができ、かつ遊技盤１２を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１１】
遊技機１は、遊技盤１２に向けて遊技球を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９ａ，９ｂ，９ｃが配置されている。また、遊技機１の上部には、音声を出力するためのスピーカ１０が設けられている。
【００１２】
遊技盤１２は、アクリルやポリカーボネート等の合成樹脂材料で成形された略正方形の平板状の部材である。この遊技盤１２の背面側には、裏ユニット１３（図２参照）がビス等によって取付固定されている。遊技盤１２には、センター役物３１の装飾枠３２を取り付けるための開口部１４が略中央部に開口形成されている。また、遊技盤１２の表面には、発射装置で弾発された遊技球を遊技盤１２の上部へ案内する案内レール１５が設けられている。また、遊技盤１２には、案内レール１５により遊技盤１２の上部に案内された遊技球が該遊技盤１２の下部に向けて流下する遊技領域１６が形成されている。
【００１３】
遊技領域１６には、装飾枠３２を取り付けるための上記した開口部１４が該遊技領域１６の略中央部に開口形成されている。また、遊技領域１６には、普通入賞装置１７、始動入賞装置１８、大入賞装置１９等の各種入賞装置が設けられている。また、遊技領域１６には、多数の誘導釘２０が打たれている。遊技領域１６を流下する遊技球は、誘導釘２０に当たって流下方向を変化させながら、遊技領域１６の上部から下部に向かって流下する。遊技領域１６を流下する遊技球の一部は、各種入賞装置に設けられている各種入賞口（図示せず）に入賞する。また、遊技領域１６を流下する遊技球のうち、各種入賞口に入賞しなかった遊技球は、遊技領域１６の最下部に設けられたアウト口２１に流入する。
【００１４】
普通入賞装置１７は、遊技領域１６に複数個（本実施の形態では３個）設けられている。これら普通入賞装置１７は、普通入賞口（図示せず）を有しており、遊技球が普通入賞口に入賞すると、所定数（例えば１０個）の賞球を払い出すように構成されている。
【００１５】
始動入賞装置１８は、装飾枠３２の下方に配置されている。始動入賞装置１８は、始動入賞口（図示せず）を有しており、遊技球が始動入賞口に入賞すると遊技者に不利な通常遊技状態から遊技者に有利な大当り遊技状態で遊技を行うか否かを抽選するための大当り抽選が行われるように構成されている。
【００１６】
大入賞装置１９は、始動入賞装置１８の下方に配置された第１大入賞装置１９ａと、装飾枠３２の下方であって、遊技領域１６の左右方向中央よりも右方に配置された第２大入賞装置１９ｂとを備えている。これら第１大入賞装置１９ａ及び第２大入賞装置１９ｂは、大入賞口（図示せず）を備えている。第１大入賞装置１９ａ及び第２大入賞装置１９ｂは、通常遊技状態では遊技球が入賞することがなく、大当り抽選に当選して、遊技状態が通常遊技状態から大当り遊技状態へ移行した時に遊技球が入賞できるように構成されている。これら第１大入賞装置１９ａ及び第２大入賞装置１９ｂは、大当り遊技状態では、所定個数（例えば１０個）の遊技球が入賞するか、又は所定時間（例えば３０秒）が経過するまでの間、遊技球が入賞するように構成されている。遊技機１は、大入賞口に遊技球が入賞すると、入賞した遊技球の数に対応した数の賞球を遊技者に払い出す。なお、本実施の形態では、大入賞装置１９を複数個有する遊技機１を用いて説明したが、大入賞装置１９の数はこれに限定されるものではない。
【００１７】
センター役物３１は、装飾枠３２を備えている。装飾枠３２は、各種の装飾が施されている枠状の部材であり、遊技盤１２の開口部１４に対して、遊技盤１２の前側から挿入して取付固定されている。
【００１８】
図２に示すように、裏ユニット１３には、図柄表示手段としての液晶表示装置３３及び演出用役物３４が取付固定されている。液晶表示装置３３は、遊技中に所定の図柄等を変動表示及び停止表示するというように、遊技の状態や遊技の進行に応じて種々の演出表示を行うためのものである。この液晶表示装置３３で表示される図柄等としては、例えば、数字等から構成される種々の図柄やアニメーション等、各種画像等が挙げられるが、これに限定されるものではない。遊技盤１２は、該遊技盤１２に形成された開口部１４が裏ユニット１３に取付固定された液晶表示装置３３の表示画面と同じ位置に位置するように裏ユニット１３に取付固定されており、液晶表示装置３３で表示される図柄等は、遊技盤１２に形成されている開口部１４を介して遊技者が視認することができるように構成されている。なお、本実施の形態では、図柄表示手段の例として液晶表示装置３３を用いて説明したが、上記した演出表示を行うことができるものであれば、液晶表示装置３３以外のものを任意に選択して用いてもよい。なお、図１及び図２における符号３３ａは、液晶表示装置３３に形成されている表示領域である。
【００１９】
図２に示すように、演出用役物３４は、裏ユニット１３において、液晶表示装置３３の右側に位置するように配置されている。また、この演出用役物３４は、液晶表示装置３３の前方に設けられている。この演出用役物３４は、裏ユニット１３に遊技盤１２を取付固定した場合には、遊技領域１６内に配置される位置に配置されている。また、この演出用役物３４は、遊技盤１２に取付固定された装飾枠３２の内部に位置するように配置されており、遊技盤１２が裏ユニット１３に取付固定された場合には、該装飾枠３２の内部であって、かつ該装飾枠３２の右側に位置するように配置される。なお、本実施の形態では、演出用役物３４が液晶表示装置３３の右側に位置するように配置した例を用いて説明するが、演出用役物３４を設置する位置はこれに限定されるものではない。例えば、液晶表示装置３３の右側、上側、又は下側に位置するように取付固定してもよいし、これら以外の場所に取付固定してもよい。
【００２０】
［演出用役物３４の構成］
図３及び図４に示すように、演出用役物３４は、装飾体３５、発光部３６、移動体３７、駆動機構３８及び従動部材３９（図６及び図７参照）を備えている。この演出用役物３４は、装飾体３５が移動体３７の上に連結して構成されている。また、この装飾体３５の周囲には、発光部３６が設けられている。また、移動体３７は、従動部材３９を介して駆動機構３８の駆動力が付与されるように構成されている。移動体３７は、駆動機構３８から駆動力が付与されると、液晶表示装置３３の表示領域３３ａを覆わないように装飾体３５が直立した状態に位置させる第１位置としての直立位置、液晶表示装置３３の表示領域３３ａの少なくとも一部を覆うように装飾体３５が所定角度だけ傾いた状態に位置させる傾斜位置、液晶表示装置３３の表示領域３３ａの少なくとも一部を覆うように装飾体３５を位置させ、かつ装飾体３５を傾斜位置から所定量だけ引き込んだ位置に位置させる第２の位置としての引き込み位置に位置させ、傾斜位置を経由して直立位置と引き込み位置との間を往復運動するように構成されている。即ち、移動体３７は、装飾体３５が直立位置にあるように位置している場合に駆動機構３８から駆動力が付与されると、装飾体３５が直立位置から傾斜位置へ移動し、さらに装飾体３５が傾斜位置から引き込み位置まで移動するように移動する。そして、移動体３７はさらに駆動機構３８から駆動力が付与されると、引き込み位置から傾斜位置へ移動し、さらに装飾体３５が傾斜位置から直立位置まで移動するように移動し、直立位置と引き込み位置との間を往復運動する。なお、この装飾体３５が各位置へ移動する場合における詳細な説明は後述する。
【００２１】
（装飾体３５の構成）
装飾体３５は、遊技機１における遊技の進行に応じて種々の演出を行うための所定の各種装飾が施されたものである。図５に示すように、装飾体３５は、本実施の形態では外観が円柱形状になるものを使用しているが、装飾体３５の外観形状は円柱形状以外のものであってもよい。
【００２２】
図５に示すように、装飾体３５は、装飾本体４１、装飾体用駆動モータ４２を備えており、装飾体用駆動モータ４２の駆動によって、装飾本体４１が所定角度だけ回転することができるように構成されている。また、装飾体３５には、移動体３７と連結するための連結体４３が設けられている。装飾本体４１は、光源部材４４、光源部材固定体４５、第１装飾体４６、第２装飾体４７、上固定体４８、カバー体４９、嵌合部材５０、従動ギヤ５１、第１下固定体５２及び第２下固定体５３を備えている。光源部材４４は、光源用基板５４と、この光源用基板５４に取り付けられたＬＥＤ等の発光素子５５とから構成されている。また、光源部材４４には、光源用基板５４の下部にコネクタ５６が設けられており、図示しないケーブルが接続できるように構成されている。
【００２３】
光源部材固定体４５は、光源部材４４を取付固定するためのものである。図５に示すように、光源部材固定体４５は、前側に第１開口部５７が形成された略半円柱形状となるように形成されており、この第１開口部５７を前側から覆うように光源部材４４が取付固定されるように構成されている。この第１開口部５７には、該第１開口部５７の前側端部の位置よりも若干前側に向けて突出したピン５７ａが形成されている。このピン５７ａは、光源部材４４を取付固定する際、該光源部材４４の位置決めを行うためのものである。また、光源部材固定体４５は、上部に円形状の天井部５７ｂが形成されている。この天井部５７ｂには円形状の孔部５７ｃが開口形成されており、この孔部５７ｃに上固定体４８が嵌合することができるように構成されている。
【００２４】
また、光源部材固定体４５には、該光源部材固定体４５の下部に図示しないケーブルを導出するとともに、光源部材固定体４５を第１下固定体５２に取付固定するための固定部材５８が取り付けられている。この固定部材５８は、前面が開口する半円柱形状に形成されたスリーブ部５８ａと、このスリーブ部５８ａの下に形成された貫通孔部５８ｂと、この貫通孔部５８ｂの左右両側に形成された固定ピン５８ｃとを備えている。スリーブ部５８ａは、光源部材４４のコネクタ５６に接続されたケーブルを案内し、このケーブルに過度の力が加わらないようにするためのものである。一端側がコネクタ５６に接続されたケーブルの他端は、このスリーブ部５８ａに案内されながら貫通孔部５８ｂを通って光源部材固定体４５の外部へ導出される。固定ピン５８ｃは、第１下固定体５２に形成された固定孔に挿入することができる大きさに形成されている。
【００２５】
第１装飾体４６は、後側が開口形成された略半円柱形状に形成されており、遊技機１において用いられる各種装飾が施された第１装飾面４６ａが前側の側面部に形成されている。第２装飾体４７は、前側が開口形成された略半円柱形状に形成されており、後側の側面部に遊技機１において用いられる各種装飾が施された第２装飾面４７ａが後側の側面部に形成されている。これら第１装飾体４６及び第２装飾体４７は、互いの開口を対向させながら組み付けることができ、これら第１装飾体４６及び第２装飾体４７の内部に空間部（図示せず）が形成されている。この空間部は、光源部材固定体４５が配置されることができる大きさに形成されている。即ち、第１装飾体４６及び第２装飾体４７は、光源部材固定体４５の周囲を覆うように取付固定されている。また、第１装飾体４６及び第２装飾体４７は、光源部材固定体４５とは独立して動くことができるように構成されている。即ち、これら第１装飾体４６及び第２装飾体４７は、光源部材固定体４５が固定されている場合であっても、該光源部材固定体４５の周囲において回転等の移動をすることができるように構成されている。また、これら第１装飾体４６及び第２装飾体４７には、上端面よりも下側の所定位置であって空間部の上端部に位置する箇所に天井部４６ｂ，４７ｂが形成されている。この天井部４６ｂ，４７ｂには、上固定体４８と固定するためのネジ孔が設けられている。なお、これら第１装飾体４６及び第２装飾体４７に施される装飾は、同じであってもよいし、異なっていてもよい。また、装飾は、所定の図柄等を描いたものであってもよいし、側面部に所定の凹凸等を設けて装飾を施してもよい。また、これら以外の方法で装飾を施してもよい。
【００２６】
また、第１装飾体４６には、第１装飾面４６ａが形成された側面部の径よりも小径に形成された第１小径部４６ｃが形成されており、第２装飾体４７には、第２装飾面４７ａが形成された側面部の径よりも小径に形成された第２小径部４７ｃが形成されている。これら第１小径部４６ｃ及び第２小径部４７ｃは、嵌合部材５０に形成されている後述する案内孔と嵌合することが可能な大きさに形成されている。
【００２７】
上固定体４８は、それぞれ組み付けられた第１装飾体４６及び第２装飾体４７を固定するためのものである。この上固定体４８は中央部に貫通孔４８ａが設けられている。上固定体４８には、下面において円周状に突出する突出部（図示せず）が形成されており、該上固定体４８の上面から突出部の下面に向けて、上記した貫通孔が貫通形成されている。この突出部の外径は、光源部材固定体４５の天井部５７ｂに形成されている貫通孔と嵌合することができるような大きさ、即ち、該外径が該貫通孔の内径と略同一か、該内径よりも若干小さな外径を有するように形成されている。
【００２８】
また、上固定体４８には、外周面から半径方向の外側に向けて突出するネジ固定部４８ｂが形成されている。このネジ固定部４８ｂは、本実施の形態では２ヶ所に形成されている。これらネジ固定部４８ｂは、第１装飾体４６のネジ孔と第２装飾体４７のネジ孔のそれぞれにネジ止めすることができる位置に形成されている。
【００２９】
したがって、この上固定体４８は、第１装飾体４６及び第２装飾体４７のそれぞれにネジ止め固定することで、これら第１装飾体４６と第２装飾体４７を固定し、かつ上固定体４８の突出部を光源部材固定体４５の貫通孔４８ａに嵌合することで、第１装飾体４６及び第２装飾体４７の内部に形成されている空間部内における光源部材固定体４５の位置を決めることができるようになっている。
【００３０】
カバー体４９は、上固定体４８の上方から該上固定体４８を覆うためのものである。このカバー体４９は円板形状に形成されており、上固定体４８にネジ止めするためのネジ穴４９ａが設けられている。
【００３１】
嵌合部材５０は、第１装飾体４６及び第２装飾体４７の下側を位置決めするとともに、第１装飾体４６及び第２装飾体４７の回転を可能な状態で支持するためのものである。この嵌合部材５０は、第１下固定体５２の上に取付固定することができるように形成されており、また嵌合部材５０には、嵌合用孔５０ａが貫通形成されている。この嵌合用孔５０ａは、第１装飾体４６及び第２装飾体４７を組み付けた際、第１装飾体４６に形成されている第１小径部４６ｃ及び第２装飾体４７に形成されている第２小径部４７ｃにより形成される小径部分と嵌合可能な大きさに形成されている。即ち、嵌合用孔５０ａの内径は、小径部分の外径と略同じか、又は該小径部分の外径よりも若干大きくなるように形成されている。
【００３２】
従動ギヤ５１は、装飾体用駆動モータ４２から伝達される駆動力を第１装飾体４６及び第２装飾体４７に伝えるためのものである。また、この従動ギヤ５１は、第１装飾体４６及び第２装飾体４７が組み付けられた状態を維持できるように、これら第１装飾体４６及び第２装飾体４７を固定することができるように構成されている。また、従動ギヤ５１は、中央部に固定部材５８が挿通可能な大きさ及び形状に形成された挿通孔５１ａが貫通形成されている。また、従動ギヤ５１には、位置検知センサ５９が従動ギヤ５１の位置、即ち、第１装飾体４６及び第２装飾体４７の位置を検知する際に用いる突出片５１ｂが形成されている。
【００３３】
第１下固定体５２は、固定部材５８を介して光源部材４４の下部を固定するためのものである。この第１下固定体５２は、略長方形状をなすように形成されており、その下に第２下固定体５３を取付固定することができるように構成されている。また、第１下固定体５２には、装飾体用駆動モータ４２の駆動ギヤ６０が挿通可能な駆動ギヤ挿通孔５２ａが形成されている。また、第１下固定体５２には、固定部材５８の固定ピン５８ｃが挿入可能な固定孔５２ｂが形成されており、固定部材５８が取付固定できるように形成されている。
【００３４】
第２下固定体５３は、第１下固定体５２の下に取付固定されるもので、連結体４３及び移動体３７と連結することができるように形成されている。連結体４３は、第２下固定体５３の下に取付固定されており、移動体３７は、第２下固定体５３の後側に取付固定されている。また、第２下固定体５３には、駆動軸が挿通可能な大きさの孔が貫通形成されている。
【００３５】
装飾体用駆動モータ４２は、駆動軸に駆動ギヤ６０が取り付けられて構成されており、第２下固定体５３の下に取付固定されている。駆動ギヤ６０は、装飾体用駆動モータ４２の駆動軸に取り付けられており、装飾体用駆動モータ４２から付与される駆動力を従動ギヤ５１に伝達することができるように構成されている。この駆動ギヤ６０は、第１下固定体５２の駆動ギヤ挿通孔５２ａを挿通して配置されており、駆動軸は、第２下固定体５３の孔を挿通して配置されている。
【００３６】
（発光部３６の構成）
図３及び図４に示すように、発光部３６は、装飾体３５の略前方に配置された第１発光部６１と、装飾体３５の側方に配置された第２発光部６２とを備えている。これら第１発光部６１は、発光基板の上に発光素子が設けられて構成されている。これら第１発光部６１及び第２発光部６２で用いられる発光素子としては、ＬＥＤ等の各種発光素子を任意に選択して用いることができる。第１発光部６１は、装飾体３５よりも前側に光を照射することができるように設けられており、第２発光部６２は、装飾体３５の側方から装飾体３５に向けて光を照射することができるように設けられている。なお、本明細書では、発光部３６としてＬＥＤ及び発光基板を使用した構成のものを用いて説明したが、これに限定されるものではなく、従来から公知のものを任意に選択して適宜用いてもよい。
【００３７】
（移動体３７、駆動機構３８及び従動部材３９の構成）
移動体３７、駆動機構３８及び従動部材３９の構成を図６及び図７に示す。これら移動体３７、駆動機構３８及び従動部材３９は、移動体３７等を移動可能に支持する第１基板７２及び第２基板７３からなる基板７１（図４参照）に組み付けられて一つのユニットとして構成されている。なお、ここでは、説明の便宜上、基板７１を構成する第１基板７２及び第２基板７３の構成を説明した後に、移動体３７、駆動機構３８及び従動部材３９の構成を詳細に説明する。
【００３８】
第１基板７２及び第２基板７３は、移動体３７、駆動機構３８及び従動部材３９を組み立てる際のベースとなる部材である。図６及び図７に示すように、第１基板７２及び第２基板７３は前後方向に並んで配置するように構成されている。本実施の形態では、第１基板７２が前側に配置され、第２基板７３が後側に配置されるように構成されている。
【００３９】
第１基板７２は、駆動機構３８が取り付けられ、従動部材３９の一端及び移動体３７の一端を支持することができるように構成されている。この第１基板７２には、駆動軸挿通孔７４、第１伝達部材用挿通孔７５及び第２伝達部材用挿通孔７６が貫通形成されている。また、第１基板７２には、第１ガイド部７７及び第１直線ガイド部７８が形成されている。駆動軸挿通孔７４は、駆動手段を構成する駆動用モータ７９の駆動軸８０を前側と後側との間で挿通することができるように形成されている貫通孔で、第１基板７２の左側に形成されている。第１伝達部材用挿通孔７５は、後述する第１伝達部材９１を回転可能に支持する第１伝達部材用駆動軸９４ａを挿通させることができるように形成されている貫通孔である。また、第２伝達部材用挿通孔７６は、後述する第２伝達部材９２を回転可能に支持する第２伝達部材用駆動軸９４ｂを挿通させることができるように形成されている貫通孔である。これら第１伝達部材用挿通孔７５及び第２伝達部材用挿通孔７６は、第１基板７２の左右方向略中央に、左右並んで貫通形成されている。第１ガイド部７７は、第３の回転軸としての軸Ｓ３の移動並びに第２伝達部１０６の移動、さらには移動体３７及び連結体４３の動きをガイドするためのもので、円弧状に形成された円弧状部８１と、この円弧状部８１と連続するように形成された直線部８２とを有している。
【００４０】
第１直線ガイド部７８は、上記した第１ガイド部７７とは別の場所、即ち第１ガイド部７７よりも上方に形成されている。この第１直線ガイド部７８は、本実施の形態では、第１基板７２の背面の所定位置において該背面から後方向に向けて第１ガイド用リブ８３を形成することで構成されている。第１直線ガイド部７８は、ガイドする方向が上記した第１ガイド部７７の直線部８２と平行になるように形成されている。また、移動体３７が回転運動を行う場合にこの回転運動の回転軸となる第１回転軸用突部８４が第１直線ガイド部７８には形成されている。この第１直線ガイド部７８は、移動体３７が直線部８８にガイドされて移動するに伴って第１回転受け部１１３が直線運動をする際に、この第１回転受け部１１３を案内するためのものである。この第１直線ガイド部７８を形成することによって、移動体３７が直線方向に運動する際のブレ等をなくすことができ、第１回転受け部１１３の第１回転軸用突部８４との嵌合や分離を確実に行うことが可能になる。
【００４１】
第２基板７３は、従動部材３９の他端及び移動体３７の他端を支持することができるように構成されている。この第２基板７３には、第２ガイド部８５及び第２直線ガイド部８６が形成されている。第２ガイド部８５は、第２基板７３の上部に形成されており、後述する移動体３７の動きをガイドするために形成されている貫通溝である。図６に示すように、第２ガイド部８５は、曲線を描く曲線部８７が上側に形成されており、この曲線部８７と連続するように直線部８８が形成されている。第２直線ガイド部８６は、本実施の形態では、第２基板７３の表面の所定位置であって、第１直線ガイド部７８と対向する位置に形成されている。この第２直線ガイド部８６は、第２基板７３の表面から前方向に向けて第２ガイド用リブ９０を形成することで構成されている。第２直線ガイド部８６は、第１直線ガイド部７８と平行となるように形成されている。また、移動体３７が回転運動を行う場合にこの回転運動の回転軸となる第２回転軸用突部８９が第２直線ガイド部８６の内部に形成されている。この第２直線ガイド部８６は、移動体３７が直線部８８にガイドされて移動するに伴って第２回転受け部１１４が直線運動をする際に、この第２回転受け部１１４を案内するためのものである。この第２直線ガイド部８６を形成することによって、移動体３７が直線方向に運動する際のブレ等をなくすことができ、第２回転受け部１１４の第２回転軸用突部８９との嵌合や分離を確実に行うことが可能になる。また、これは、第１直線ガイド部７８と第２直線ガイド部８６のいずれをも形成してガイドをすることにより、第１回転受け部１１３と第１回転軸用突部８４と嵌合及び分離、並びに第２回転受け部１１４と第２回転軸用突部８９との嵌合及び分離をさらにより確実に行うことが可能になる。
【００４２】
駆動手段としての駆動機構３８は、駆動用モータ７９、第１伝達部材９１、第２伝達部材９２を備えている。駆動用モータ７９は、移動体３７を第１位置としての直立位置と第２位置としての引き込み位置との間において移動させるための駆動力を付与するためのものである。この駆動用モータ７９は、予め定められた所定の一方向にのみ回転駆動するもので、第１基板７２の表面側にネジ等のような任意な方法で取付固定される。また、駆動用モータ７９は、駆動軸８０を有しており、この駆動軸８０の先端には駆動ギヤ９３が圧入等の従来から任意な方法で取付固定されている。駆動軸８０は、駆動用モータ７９が第１基板７２に取付固定される時は、駆動軸挿通孔７４を挿通して、第１基板７２の背面に配置されるように構成されている。
【００４３】
第１伝達部材９１及び第２伝達部材９２は、駆動用モータ７９の駆動力を従動部材３９に伝達するためのものである。本実施の形態では、これら第１伝達部材９１及び第２伝達部材９２はギヤで構成されている例を用いて説明するが、駆動用モータ７９の駆動力を従動部材３９に伝達させることができれば、他の構成であってもよい。
【００４４】
第１伝達部材９１は、ギヤとして形成されている部材であり、第１伝達部材用駆動軸９４ａを圧入等によって取り付けることが可能な第１軸孔９５ａが形成されている。第１伝達部材９１は、第１基板７２の背面側に配置されており、第１軸孔９５ａに取り付けられた第１伝達部材用駆動軸９４ａを第１基板７２の後側から前側に向けて、第１伝達部材用挿通孔７５に挿通し、第１基板７２の前側に突出した該第１伝達部材用駆動軸９４ａの先端を第１スナップリング９８により固定することができるように構成されている。この第１伝達部材９１は、第１伝達部材用駆動軸９４ａを回転軸部材として回転する。なお、本明細書における「第１回転軸」は、第１伝達部材９１が回転する回転軸である軸Ｓ１を意味する。
【００４５】
第２伝達部材９２は、第１伝達部材９１と同様、ギヤとして形成されている部材であり、第２伝達部材用駆動軸９４ｂを圧入等によって取り付けることが可能な第２軸孔９５ｂが形成されている。第２伝達部材９２は、第１基板７２の背面側に配置されており、第２軸孔９５ｂに取り付けられた第２伝達部材用駆動軸９４ｂを第１基板７２の後側から前側に向けて、第２伝達部材用挿通孔７６に挿通し、第１基板７２の前側に突出した該第２伝達部材用駆動軸９４ｂの先端を第２スナップリング９８ｂにより固定することができるように構成されている。この第２伝達部材９２は、第２伝達部材用駆動軸９４ｂを回転軸部材として回転する。
【００４６】
図７に示すように、第１伝達部材９１には、その後側に第１伝達部９６が形成されている。第１伝達部９６は、従動部材３９と連結し、第１伝達部材９１に付与された駆動力を従動部材３９に伝達するためのものである。この第１伝達部９６は、第１伝達部材９１の第１回転軸から半径方向にＲだけ外側に離れた位置に形成されている。この第１伝達部９６は、第１伝達部材９１が第１回転軸を中心に回転すると、この第１回転軸を中心とした半径Ｒの弧を描くように回転運動を行う。本実施の形態では、第１伝達部９６は第１伝達部材９１の背面から後側に突出したピン状の部材として形成しているが、従動部材３９と連結することができればよく、その形状は限定されない。
【００４７】
図６及び図７に示すように、従動部材３９は、従動部材回転軸部材９７を中心として往復運動をすることができるように構成したものであり、第１基板７２と第２基板７３との間に位置するように配置されている。即ち、従動部材３９は、従動部材回転軸部材９７が挿通可能な大きさに形成された従動部材回転軸挿通孔９９が貫通形成されており、この従動部材回転軸挿通孔９９に挿通された従動部材回転軸９７の一端が第１基板７２の背面側に形成された第１従動部材支持部１００によって支持され、従動部材回転軸９７の他端が第２基板７３の表面に形成された第２従動部材支持部１０１によって支持されるように構成されている。
【００４８】
従動部材３９は、支持部略扇形状に形成された基部１０２と、この基部１０２から、該基部１０２よりも半径方向外側に突出した突出部１０３とを有している。また、従動部材３９には、従動部材回転軸９７が挿通可能な大きさ、即ち、内径が従動部材回転軸９７の外径と略同一か、又は内径が該従動部材回転軸９７の外径に比べて、ガタツキが生じない程度に大径となるように形成された従動部材回転軸挿通孔９９が貫通形成されている。なお、本明細書において「第２回転軸」は、従動部材３９が回転する回転軸である軸Ｓ２を意味する。
【００４９】
この従動部材３９は、基部１０２に第１長孔部１０４が形成されており、基部１０２から突出部１０３にかけて、第２長孔部１０５が形成されている。第１長孔部１０４は、第２回転軸よりも半径方向外側に向けて、該半径方向に延びるように形成されており、第１伝達部９６の幅よりも大きな幅に形成されて、第１伝達部９６がその第１長孔部１０４の内部においてスライド移動することができるように形成されている。従動部材３９は、この第１長孔部１０４に第１伝達部材９１の第１伝達部９６がスライド移動可能な状態で嵌合するように配置されており、第１伝達部材９１を介して伝達される駆動力が付与されるようになっている。
【００５０】
また、従動部材３９には、第２回転軸Ｓ２よりも半径方向外側であって、第１長孔部１０４とは異なる位置において半径方向に延びるように形成された第２長孔部１０５が形成されている。即ち、この第２長孔部１０５は、水平方向に対する第１長孔部１０４の長手方向の中心線の角度をθ１とし、水平方向に対する第２長孔部１０５の長手方向の中心線の角度をθ２とした場合に、θ１＜θ２の関係になるような位置に形成されている（図８参照）。また、この第２長孔部１０５は、連結体４３と従動部材３９とを結合する第２伝達部１０６が内部に配置され、この第２伝達部１０６が該第２長孔部１０５の中でスライド移動することができる幅を有するように形成されている。即ち、第２長孔部１０５の幅は、第２伝達部１０６の外形形状よりも大きくなるように形成されている。
【００５１】
この従動部材３９は、第１伝達部材９１の第１伝達部９６を介して駆動用モータ７９からの駆動力が付与されると、第１伝達部材９１が予め定められた所定位置まで回転した時には、その回転に伴って、第２回転軸Ｓ２を中心にして、予め定められた第１の方向へ回動する円弧運動を行い、第１伝達部材９１が所定位置から更に回転した時は、第２回転軸Ｓ２を中心にして、第１の方向とは逆の方向である第２の方向へ回動する円弧運動を行うように配置形成されている。この第２伝達部１０６は、従動部材３９が回動して円弧運動した時に、この従動部材３９から付与される駆動力を受け、移動体３７及び連結体４３にこの駆動力を伝達するためのものである。なお、この第２伝達部１０６は、移動体３７に形成してもよいし、連結体４３に形成してもよい。
【００５２】
従動部材３９には、基部１０２において外周が円弧状に形成されている部分の肉厚が、他の部分よりも薄い薄肉部１０７が形成されている。また、この薄肉に形成された部分である薄肉部１０７には、切欠き１０８が形成されている。この切欠き１０８は、センサ部材１１０が従動部材３９の位置を検知することができるようにするためのものである。センサ部材１１０には、従来から公知のものを任意に選択して用いることができ、本実施の形態のように、センサ部材１１０として、発光部と受光部を有する光検知センサを用いてもよい。
【００５３】
移動体３７は、従動部材３９と連結されており、駆動用モータ７９の一方向の回転によって動作する従動部材３９の動きに伴って、装飾体３５を直立位置、傾斜位置及び引き込み位置の間で移動させるためのものである。図６及び図７に示すように、移動体３７は、下部の形状が逆三角形、即ち下へ行くにつれて幅が順次狭くなる形状となるように形成されており、上部の形状は、下部よりも左右方向の幅が広い長方形状に形成されている。下部の下位置には、第２伝達部１０６が結合される結合孔１１１が貫通形成されている。また、長方形状をした上部には回転受け部１１２が形成されている。この回転受け部１１２は、移動体３７の表面側及び後面側の両方に形成されている。移動体３７の表面側に形成されている第１回転受け部１１３と該移動体３７の後面側に形成されている第２回転受け部１１４とは同一の形状になるように形成されている。図６に示すように、第１回転受け部１１３は、移動体３７の表面から前側に向けて所定高さだけ突出したリブ状に形成されている。この第１回転受け部１１３は、リブが略Ｕ字形に形成されており、リブが形成されていない開口部が部分的に形成されている。第１回転受け部１１３は、リブとリブとが対向する位置にある部分における内側の幅が第１基板７２の第１直線ガイド部７８の中に形成されている第１回転軸用突部８４の外径と略同じか、又はこの第１回転軸用突部８４の外径よりもガタツキが生じない程度に大きな寸法となるように形成されている。この第１回転受け部１１３は、第３の回転軸としての軸Ｓ３を有する第１回転軸用突部８４と嵌合及び分離が可能に形成されている。即ち、第１回転受け部１１３は、第２伝達部１０６等が円弧状部８７にガイドされて移動する時は、第１回転軸用突部８４と嵌合しており、第２伝達部１０６等が直線部８８にガイドされて移動する時は、第１回転軸用突部８４から分離して移動するように構成されている。
【００５４】
第２回転受け部１１４は、移動体３７の後面から後側に向けて所定高さだけ突出したリブ状に形成されている。この第２回転受け部１１４は、リブが略Ｕ字形に形成されており、リブが形成されていない開口部が部分的に形成されている。なお、これら第１回転受け部１１３の開口部１４及び第２回転受け部１１４の開口部は、前後方向において互いに対向する位置に形成されている。第２回転受け部１１４は、リブとリブとが対向する位置にある部分における内側の幅が第２基板７３の第２直線ガイド部８６の中に形成されている第２回転軸用突部８９の外径と略同じか、又はこの第２回転軸用突部８９の外径よりも、ガタツキが生じない程度に大きな寸法となるように形成されている。この第２回転受け部１１４は、第３の回転軸としての軸Ｓ３を有する第２回転軸用突部８９と嵌合及び分離が可能に形成されている。即ち、第２回転受け部１１４は、第２伝達部１０６等が円弧状部８７にガイドされて移動する時は、第１回転軸用突部８９と嵌合しており、第２伝達部１０６等が直線部８８にガイドされて移動する時は、第２回転軸用突部８９から分離して移動するように構成されている。なお、本明細書において「第３の回転軸」とは、第１回転軸用突部８４及び第２回転軸用突部８９により形成される軸Ｓ３を意味する。この第３の回転軸としての軸Ｓ３は、移動体３７、連結体４３、第１基板７２、第２基板７３の少なくともいずれかに形成されていればよい。
【００５５】
［装飾体３５の作用効果］
次に、装飾体３５の作用について説明する。図３〜図５に示すように、装飾体３５は、遊技の進行に応じて光源部材４４が所定の態様で発光したり、第１装飾体４６又は第２装飾体４７がこれら第１装飾体４６及び第２装飾体４７の内部に配置されている光源部材固定体４５の横断面中央において長手方向に延びる軸を中心に回転する。この時の作用について説明する。
【００５６】
図３及び図４に示すように、本実施の形態に係る遊技機１では、通常は第１装飾体４６が前側を向き、第２装飾体４７が後側を向くように位置している。このように位置している時に、遊技の進行において所定の条件が成立すると、装飾体用駆動用モータ４２が回転駆動を開始する。装飾体用駆動用モータ４２の回転軸には駆動ギヤ６０が取付固定されており、この駆動ギヤ６０は従動ギヤ５１と噛み合っているので、装飾体用駆動用モータ４２が回転駆動すると、この駆動力は駆動ギヤ６０を介して従動ギヤ５１に伝達される。従動ギヤ５１は、第１装飾体４６の下部及び第２装飾体４７の下部に取付固定されているので、従動ギヤ５１が回転を開始すると、それに伴って第１装飾体４６及び第２装飾体４７も回転を開始する。この時、これら第１装飾体４６及び第２装飾体４７は、光源部材固定体４５とは独立して動くことができるように構成されているので、光源部材固定体４５は回転せずに当初の状態を維持しつつ、第１装飾体４６及び第２装飾体４７のみを回転させることができる。
【００５７】
したがって、本実施の形態の遊技機１に係る装飾体３５は、第１装飾体４６の図柄等による演出、第１装飾体４６の図柄と光源部材４４の発光態様との組み合わせによる演出、第２装飾体４７の図柄等による演出、及び第２装飾体４７の図柄等と光源部材４４の発光態様との組み合わせによる演出、というように、遊技の進行に応じて種々の演出を行うことが可能になる。したがって、遊技の進行に応じて遊技者の興趣を向上させるような演出をより多くの演出態様で行うことが可能になる。
【００５８】
［移動体３７、駆動機構３８及び従動部材３９の作用効果］
次に、移動体３７、駆動機構３８及び従動部材３９の作用効果について説明する。この説明は、図８〜図１６を用いて説明する。なお、図８〜図１６は、移動体３７、駆動機構３８及び従動部材３９の動作を説明するための説明図であり、これらの説明に用いない構成要素に関しては、図面上省略して記載してある。また、演出用役物３４には、移動体３７の上に装飾体３５が取付固定されているが、説明の便宜上、装飾体３５の記載は省略する。
【００５９】
図１に示すように、演出用役物３４は、通常の場合は装飾体３５が直立する第１の位置としての直立位置に位置している。この時の移動体３７、駆動機構３８及び従動部材３９の位置関係を図８に示す。この時は、第１伝達部材９１の第１伝達部９６は、該第１伝達部９６が第１回転軸の周囲を周回する最下端位置に位置している。また、従動部材３９及び移動体３７を連結する第２伝達部１０６は、ガイド部における円弧状部８１の左端部に位置している。さらに移動体３７の第１回転受け部１１３は、第１基板７２の第１回転軸用突部８４と嵌合する位置にある。なお、図示はしないが、移動体３７の第２回転受け部１１４は、第２基板７３の第２回転軸用突部８９と嵌合する位置にある。即ち、移動体３７は、第１回転軸用突部８４及び第２回転軸用突部８９によって、これら第１回転軸用突部８４及び第２回転軸用突部８９を回転軸として回転することができる位置に位置している。
【００６０】
ここで、駆動用モータ７９が回転駆動を開始し、駆動軸８０及び第２伝達部材９２を介して第１伝達部材９１に駆動力が付与されると、第１伝達部材９１は図中Ａ方向に回転駆動する。このとき、第１長孔部１０４の幅は、第１伝達部９６の外径よりも広くなるように形成されているので、第１伝達部材９１がＡ方向に回転するうちに、第１伝達部９６は第１長孔部１０４の一方の面１０４ａに当接する。第１長孔部１０４が図８に示す位置に位置している場合には、一方の面１０４ａは第１長孔部１０４の上面となるので、第１伝達部材９１がＡ方向に回転すると、第１伝達部９６の上部が第１長孔部１０４の一方の面１０４ａと当接する。そして、第１伝達部材９１が回転することによって、第１伝達部９６から第１長孔部１０４へ更に駆動力が付与されると、従動部材３９は、第２回転軸を軸としてＢ方向へ回動する。
【００６１】
図９に示すのは、移動体３７が第１の位置としての直立位置から、垂直方向に対して所定角度だけ傾いた傾き位置に移動する途中の様子を表した説明図である。図９に示すように、第１伝達部材９１がＡ方向に回転をし続けると、第１伝達部９６は第１回転軸Ｓ１を中心として回転し、第１長孔部１０４を通じて従動部材３９をＢ方向へ回動させる方向に駆動力を付与し続ける。この時、従動部材３９は、第２回転軸Ｓ２を中心としてＢ方向へ回動し続け、第２長孔部１０５の位置もそれに伴って変化する。ここで、従動部材３９には、連結体４３及び移動体３７の第２伝達部１０６が第２長孔部１０５においてスライド移動自在に連結されている。そのため、第２長孔部１０５において連結されている連結体４３及び移動体３７は、第１回転軸用突部８４及び第２回転軸用突部８９を回転軸として（即ち、第３回転軸Ｓ３を中心として）Ｃ方向に回動する。そして、連結体４３及び移動体３７が回動することによって、連結体４３に取付固定されている装飾体３５は、直立位置から、液晶表示装置３３の少なくとも一部を覆う傾斜位置に向けて、順次傾いていく。
【００６２】
そして、図１０に示すように、従動部材３９がＢ方向へ回動し続け、第２伝達部１０６の位置が第１ガイド部７７における円弧状部８１と直線部８２との境界点に位置すると、連結体４３及び移動体３７が最も傾斜する位置に位置する。図１１に示すように、この時、装飾体３５は垂直方向に対して最も傾いた傾斜位置に位置する。この傾斜位置では、装飾体３５は、液晶表示装置３３を最も大きく覆うように位置する。
【００６３】
図１２に示すように、駆動用モータ７９は、更に回転駆動するため、第１伝達部材９１は、更にＡ方向へ回転する。この時、第１伝達部９６も、第１伝達部材９１の回転に伴って、位置を変化させる。この時、第１伝達部９６が引き続き第１長孔部１０４の一方の面と当接しながら該一方の面に対して駆動力を付与する。したがって、従動部材３９は、駆動力を受けて、第２回転軸Ｓ２を中心として更にＢ方向へ回動を行う。この時、連結体４３及び移動体３７の第２伝達部１０６は、第１ガイド部７７において円弧状部８１及び直線部８２の境界点から直線部８２に向けてＤ方向に移動する。また、この場合、第２伝達部１０６は、第２長孔部１０５の位置を変えながら、第１ガイド部７７のうちの直線部８２にガイドされながら移動する。さらに、第１回転受け部１１３は、第１回転軸用突部８４との嵌合状態を解除し、さらに第１直線ガイド部７８に案内されながら、やはりＤ方向へ移動する。また、第２回転受け部１１４も、第２回転軸用突部８９との嵌合状態を解除し、さらに第２直線ガイド部８６に案内されながら、Ｄ方向へ移動する。このように、直線部８２に沿って第２伝達部１０６が図中Ｄ方向へ移動すると、それに伴って移動体３７及び連結体４３の位置が傾斜位置から直線部８２の長さ分だけ引き込まれた引き込み位置に移動する。この時の遊技盤１２における装飾体３５の位置関係は、図１３に示すようになる。即ち、装飾体３５が垂直方向に対して所定角度だけ傾斜することで液晶表示装置３３の前側の一部を装飾体３５が覆い、さらに直線部８２の長さ分だけ傾斜位置よりも引き込まれた位置になる。
【００６４】
連結体４３及び移動体３７が直線部８２の端部に位置した後も、駆動用モータ７９は引き続き回転しており、それに伴って第１伝達部材９１もＡ方向に回転する。この時、第１長孔部１０４は、その幅が第１伝達部９６の外径よりも大きくなるように形成されているので、第１伝達部９６が従動部材３９に駆動力を付与せずに、第１長孔部１０４内においてスライド移動する。このスライド移動している所定時間の間は、連結体４３及び移動体３７、さらには装飾体３５は引き込み位置に留まっている。したがって、装飾体３５は、一端引き込み位置に移動すると、すぐに引き込み位置から傾斜位置へ移動を開始するのではなく、所定時間の間だけ引き込み位置に留まり、その後に引き込み位置から傾斜位置への移動を開始する。このように、所定時間の「溜め」を作ることによって、演出用役物３４による演出効果をより豊かなものにすることが可能になる。
【００６５】
図１４に示すように、第１伝達部材９１がさらにＡ方向へ回転すると、第１伝達部９６は第１長孔部１０４を形成する他方の面１０４ｂと当接する。そして、第１伝達部９６は、他方の面１０４ｂと当接し、その後、該第１伝達部９６の移動に伴って、再度従動部材３９に駆動力を付与する。他方の面１０４ｂに対して駆動力が付与された従動部材３９は、第２回転軸Ｓ２を中心としてＢ方向とは反対のＥ方向への回動を開始する。それに伴い、従動部材３９の第２長孔部１０５において連結されている第２伝達部１０６の位置は、ガイド部において直線部８２の端部から、直線部８２と円弧状部８１との境界点の位置に向けて、Ｆ方向に移動を開始する。この時、装飾体３５は、引き込み位置から直線的に進出して、傾斜位置に向けて移動する。
【００６６】
第１伝達部材９１がＡ方向に回転し、第１伝達部９６が移動すると、該第１伝達部９６は第１長孔部１０４の他方の面と当接しながら駆動力を付与する。従動部材３９は、この第１伝達部９６から付与される駆動力を受けて、Ｅ方向へ回動する。また、従動部材３９のＥ方向への回動に伴って、第２伝達部１０６の位置もガイド部において直線部８２と円弧状部８１との境界点に位置する。
【００６７】
更に第１伝達部材９１がＡ方向に回転し、第１伝達部９６が移動すると、該第１伝達部９６は第１長孔部１０４の他方の面１０４ｂと当接しながら駆動力を付与する。従動部材３９は、この駆動力を受けて、引き続きＥ方向へ回動する。また、従動部材３９のＥ方向への回動に伴い、第２伝達部１０６も移動し、円弧状部８１と直線部８２との境界点から、円弧状部８１を移動するように変化する。円弧状部８１の途中を移動している状態を図１５に示す。そして、さらに第１伝達部材９１がさらにＡ方向に回転すると、第１伝達部９６が第１長孔部１０４の他方の面と当接しながら駆動力を付与し、従動部材３９はこの駆動力を受けてＥ方向へと回動する。また、従動部材３９のＥ方向への回動に伴い、ガイド部の円弧状部８１にガイドされながら、第２伝達部１０６がＧ方向に移動する。この第２伝達部１０６は、最終的に円弧状部８１の端部に位置するまで移動する。第２伝達部１０６が円弧状部８１の端部に位置した時の駆動機構３８等の状態を図１６に示す。
【００６８】
第２伝達部１０６が円弧状部８１の端部まで移動すると、連結体４３及び移動体３７は直立した状態となり、装飾体３５は、傾斜位置から直立位置まで、垂直方向に対する傾斜角を減少させながら、最終的に直立位置まで移動する。
【００６９】
上記した通り、第１長孔部１０４の幅は、第１伝達部９６の外径よりも大きく形成されている。したがって、駆動機構３８等が図１６に示す状態になると、第１伝達部９６は第１長孔部１０４における他方の面から離れ、第１長孔部１０４の一方の面と当接するまでの間、従動部材３９に駆動力を付与せずに移動する。そして、引き続き第１伝達部材９１がＡ方向へ回転する場合には、第１長孔部１０４の一方の面と当接して駆動力を付与し、再度従動部材３９等を回動させる。
【００７０】
このように、本実施の形態に係る遊技機１は、第１伝達部材９１、さらには駆動用モータ７９の回転方向を変えずに駆動させることのみによって連結体４３及び移動体３７を往復運動させることが可能になる。したがって、移動体３７を有する演出役物の構成を簡略化することができ、該演出役物を構成する部品点数を削減することが可能になる。また、本発明によれば、部品点数を削減することにより、製造コストも大幅に低減することが可能になる。
【００７１】
本発明に係る遊技機１について詳細に説明したが、本明細書に記載した遊技機１は例であり、これに限定されるものではない。また、本発明に係る遊技機１は、本発明の趣旨を逸脱しない範囲において、任意にその構成を変更してもよい。
【符号の説明】
【００７２】
１  遊技機
１２  遊技盤
１３  裏ユニット
１６  遊技領域
３１  センター役物
３３  液晶表示装置
３４  演出用役物
３５  装飾体
３７  移動体
３８  駆動機構
３９  従動部材
７１  基板
７２  第１基板
７３  第２基板
７７  第１ガイド部
７８  第１直線ガイド部
７９  駆動用モータ
８０  駆動軸
８１  円弧状部
８２  直線部
８３  第１ガイド用リブ
８４  第１回転軸用突部
８５  第２ガイド部
８６  第２直線ガイド部
８９  第２回転軸用突部
９０  第２ガイド用リブ
９１  第１伝達部材
９６  第１伝達部
１０２  基部
１０３  突出部
１０４  第１長孔部
１０５  第２長孔部
１０６  第２伝達部
１１２  回転受け部
１１３  第１回転受け部
１１４  第２回転受け部
【図１】
2014176561.tif 000003
【図２】
2014176561.tif 000004
【図３】
2014176561.tif 000005
【図４】
2014176561.tif 000006
【図５】
2014176561.tif 000007
【図６】
2014176561.tif 000008
【図７】
2014176561.tif 000009
【図８】
2014176561.tif 000010
【図９】
2014176561.tif 000011
【図１０】
2014176561.tif 000012
【図１１】
2014176561.tif 000013
【図１２】
2014176561.tif 000014
【図１３】
2014176561.tif 000015
【図１４】
2014176561.tif 000016
【図１５】
2014176561.tif 000017
【図１６】
2014176561.tif 000018